【事件の表示】
　平成　９年特許願第１２８４９９号「洗濯機」拒絶査定不服審判事件〔平成１０年１２月　２日出願公開、特開平１０−３１４４９５号〕について、次のとおり審決する。
【結　論】
　本件審判の請求は、成り立たない。
【理　由】
１．手続の経緯、本願発明
　本願は、平成９年５月１９日の出願であって、平成１６年３月１９日付けで拒絶査定がなされ、これに対し、同年４月２２日に拒絶査定不服審判の請求がなされたものであり、本願の請求項１に係る発明（以下、「本願発明」という）は、平成１５年９月２６日付けの手続補正書により補正された、特許請求の範囲の請求項１に記載された事項により特定される、以下のとおりのものである（以下、「本願発明」という）。
　
「洗濯機本体の外箱の底部を構成しコーナー部に脚部が設けられる台板を有し、排水ホースを前記台板を通して前記外箱の外側に導出するものであって、
　前記台板の左右の側辺部の下面部に、その周縁部から内側に引込んだ位置に該当する辺方向に延びるリブを下向きに一体に形成することによりその外面側に設けられ、前記排水ホースの途中部を該台板の側辺部に沿って収容可能な収容凹部と、
　前記リブのうち前記収容凹部の後端部に対応する位置に設けられ前記排水ホースが下方から嵌込まれることによりその排水ホースを該リブの外面側に導出すると共に該排水ホースを比較的高い位置に保持する保持部を兼用したホース出口部と、
　前記収容部内を前方に延びる排水ホースを前記脚部の内側を通して前記台板の前辺側に導くと共に該排水ホースが下方から嵌込まれることによりその排水ホースを前記ホース出口部よりも低い位置に保持する保持部を有するコーナー案内部とを具備することを特徴とする洗濯機。」
　
２．引用例
２−１．引用例１
　これに対し、原査定の拒絶の理由に引用された、実願昭４７−２２２６３号（実開昭４８−９９６７０号）のマイクロフィルム）（以下、「引用例１」という。）には、洗濯機の排水ホース支持装置に関し、以下の事項が図面とともに記載されている。
　
ア．「洗濯機本体と、この洗濯機本体の底部にこれを載置する如く設けられ両側壁の同一方向端部付近に夫々第１及び第２のホース導出孔及びこれらホース導出孔の対向間に外方に開放するホース案内部を夫々形成すると共に第１及び第２のホース導出孔の略中間に位置してホース案内部に臨む第３のホース導出孔を形成した基台と、前記洗濯機本体から導出され前記第３のホース導出孔及び前記ホース案内部を介して前記第１及び第２のホース導出孔の内の一方から外部に導出した排水ホースとを具備して成る洗濯機の排水ホース支持装置。」（「実用新案登録請求の範囲」）
イ．「以下本考案の一実施例につき第１図を参照して説明する。１は洗濯機本体で、この洗濯機本体１において２は下部を開放した外箱、……である。」（明細書４頁３〜１０行）
ウ．「斯る洗濯機本体１の下端部にはこれを載置する例えば合成樹脂の成形による基台７を取り付けている。この基台７は全体として四角形をなし且つ適当な高さをもつ枠状をなしていると共に平面部には洗濯用のモータ、脱水用のモータ、洗濯槽の排水管に連結された排水弁８、その他の付属品を支持する支持枠部９を形成している。」（明細書４頁１０〜１７行）
エ．「斯る基台７の前面部はその左右両端を除いて外方即ち前方に開放する開口部１０ａを有し後方に窪むホース案内部１０を形成しており、このホース案内部１０の側壁１１には該案内部１０に臨み後述する第１及び第２のホース導出孔の略中間に位置して第３のホース導出孔１２を形成すると共にこの第３のホース導出孔１２から左右に所定の間隔を存する部位に前記ホース案内部１０の上面に対向する複数個の支持突起１３を前方に向け突設している。この支持突起１３の前記ホース案内部１０の上面と対向する面は曲面状になっている。」（明細書４頁１８〜５頁８行）
オ．「１４及び１５は前記した第１及び第２のホース導出孔で、これを前記基台７の両側壁即ち左右側壁の同一方向端部において前記ホース案内部１０内に開放する如く形設すると共に前記基台７の各隅部下面に支持脚１６を突設してその先端部に脚車１７を回転自在に支持している。」（明細書５頁８〜１４行）
カ．「１８は排水ホースで、これの一端は前記排水弁８に連結されて図示しない洗濯槽の排水口体に排水弁８を介して連通される。斯る排水ホース１８の他端は前記ホース案内部１０の側壁１１に形成した第３のホース導出孔１２から引き出してその途中を該導出孔１２により保持させ、更にその排水ホース１８の非導出部１９を前記ホース案内部１０の側壁１１に沿って横方向に這わせてその途中部分を前記支持突起１３とホース案内部１０の上面との間で弾性的に支持させると共に前記第１のホース導出孔１４から外部に導出するものである。」（明細書５頁１４行〜６頁５行）
キ．「第１及び第２のホース導出孔１４及び１５を前記基台７の両側壁の同一方向端部付近に形成し、しかもこれらホース導出孔１４，１５間に外方に開放した開口部１０ａを有するホース案内部１０及びその中間位置に第３のホース導出孔１２を形成し、排水ホース１８の非導出部１９を第３のホース導出孔１２から引出しホース案内部１０に沿わせて一方のホース導出孔１４または１５から排水ホース１８を外部に導出する構造である」（明細書７頁２〜１０行）
　
　引用例１の第１図から、基台７にはコーナー部に支持脚１６が設けられていると認められる。
　第１図には、ホース導出孔１２から排水ホース１８の他端を引き出すことにより排水ホース１８の非導出部１９をホース案内部１０の側壁１１に沿って外面側に導出すると共に、ホース導出孔１２で排水ホース１８の途中を保持している態様が図示されている。
　第１図から、第３のホース導出孔１２は、ホース案内部１０に臨んで、第１及び第２のホース導出孔１４，１５の略中間に位置して側壁１１の略中間部に形成されたホース導出孔であり、第１及び第２のホース導出孔１４，１５を形成した、基台７の端壁部を除いたホース案内部１０においても第３のホース導出孔１２は、側壁１１の略中間部に形成された、ホース導出孔１２であることは明らかである。
　
　上記記載事項を総合すると、引用例１には、次の発明（以下、「引用発明」という。）が記載されていると認められる。
　
「洗濯機本体１の外箱２の底部を構成しコーナー部に支持脚１６が設けられる基台７を有し、排水ホース１８を基台７を通して外箱の外側に導出するものであって、
　基台７の前面部は前方に開放する開口部１０ａを有し後方に窪む側壁１１によりホース案内部１０を形成し、
　ホース案内部１０の側壁１１に案内部１０に臨み略中間に形成したホース導出孔１２と、
　ホース導出孔１２から排水ホース１８の他端を引き出してその途中を導出孔１２により保持させ、
　排水ホース１８の非導出部１９をホース案内部１０の側壁１１に沿って横方向に這わせてその途中部分を支持突起１３とホース案内部１０の上面との間で弾性的に支持させた洗濯機。」
　
２−２．引用例２
　同じく、原査定の拒絶の理由に引用された、特開平７−１６３７９０号公報（以下、「引用例２」という。）には、洗濯機の排水ホース固定構造に関し、以下の事項が図面とともに記載されている。
　
ク．「本発明は前記目的を達成するため、外箱内の下部に排水ホースを収納する洗濯機の排水ホース固定構造において、外箱の下部内壁面に沿って排水ホースを固定し、該排水ホースが接触する外箱の内壁面は外箱成形時のバリ発生個所以外の個所とすること、および、排水ホースが接触する外箱の内壁面は、外箱の下フランジの折り返し部であること、および、外箱の下フランジに排水ホース止め金具を係止する孔を形成することを要旨するものである。」（段落【００１０】）
ケ．「本発明では図１に示すように外箱１の下部内壁面に沿うスペースを梱包時や据え付け時における余分部分の排水ホース４の収納場所とする。この場合、外箱１の下部には図２に示すように下フランジ１ａが内方に突出しており、この下フランジ１ａの縁には成形時のバリが発生しているが、排水ホース４がこのバリに接触しないよう、下フランジ１ａをさらに外側に向けて１８０度折り返し、排水ホース４との接触部を折り返し部１７に形成する。」（段落【００１５】）
コ．「以上のようにして梱包時に排水ホース４を外箱１内の下部に収納するには、図１のように下フランジ１ａの折り返し部１７に沿わせて外箱１の右側面、前面、左側面の内側壁の側に寄せ、孔１８に挿入した止め金具１９を排水ホース４の周囲に巻回し、この状態で止め金具１９を輪状に緊締し、排水ホース４を下フランジ１ａに固定する。」（段落【００１８】）
　
２−３．引用例３
　同じく、原査定の拒絶の理由に引用された、実願平１−２６５４８号（実開平２−１１９１８２号のマイクロフィルム（以下、「引用例３」という。）には、脱水兼用洗濯機に関し、以下の事項が図面とともに記載されている。
　
サ．「まず第１図において、１は脱水兼用洗濯機の本体であり、台板２、外箱３及び蓋板４により外殻を構成していて、特に本実施例の場合、……としている。」（明細書３頁１８行〜４頁２行）
シ．「７は排水弁６に接続した排水ホースで、これを前記本体１の下部である台板２、中でもこれの背部のほゞ中央に形成したホース導出口８から導出させて、本体１の背面部に左右転向可能に設けている。尚、９は台板２の上記ホース導出口８両側部に設けたホース留めで、詳しくは第３図に示すようにそれぞれ基部９ａを台板２に一体に連ね、先端部９ｂを自由として、この自由な先端部９ｂにより排水ホース７をホース導出口８部分で挟み留めしている。」（明細書４頁６〜１５行）
ス．「次いで、１０は第１の保持部、１１は第２の保持部で、第１の保持部１０はホース導出口８の第３図中右側方部で、又、第２の保持部１１はホース導出口８の第３図中左側方部で、それぞれ台板２に一体成形して設けており、そして、そのうちの第１の保持部１０で代表して第４図に示すように、いずれもやはり基部１０ａ、１１ａを台板２に一体に連ね、先端部１０ｂ、１１ｂを自由として、この自由な先端部１０ｂ、１１ｂにより、上記ホース導出口８から導出された排水ホース７を抱えるようにして保持し、それによって第１の保持部１０は排水ホース７を右向き状態に保持し、又、第２の保持部１１は排水ホース７を左向き状態に保持するようになっている。」（明細書４頁１６行〜５頁９行）
　
３．対比
　そこで、本願発明と引用発明とを対比すると、その構造・機能からみて、後者の「洗濯機本体１」は、前者の「洗濯機本体」に相当し、以下同様に、後者の「外箱２」、「底部」、「コーナー部」、「支持脚１６」、「基台７」、「排水ホース１８」は、前者の「外箱」、「底部」、「コーナー部」、「脚部」、「台板」、「排水ホース」に、それぞれ相当する。
　
　後者の「ホース案内部１０」は、排水ホース１８の非導出部１９を、ホース案内部１０の側壁１１に沿って横方向に這わせて、その途中部分を支持突起１３とホース案内部１０の上面との間で弾性的に支持させており、排水ホースの収容空間であって、前者の「収容凹部」に相当する。
　
　後者の「側壁１１」は、ホース案内部１０（収容凹部）を形成するための壁であるから、前者の「リブ」に相当する。
　
　後者の「ホース導出孔１２」は、ホース案内部１０の側壁１１に案内部１０に臨み略中間にホース導出孔１２を形成して、排水ホース１８の他端を引き出して保持させているから、排水ホース１８はホース導出孔１２に保持され、ホース導出孔１２は「ホース出口部」といえる。
　
　後者の「基台７の前面部は前方に開放する開口部１０ａを有し後方に窪む側壁１１によりホース案内部１０を形成し、」は、基台７から後方の側壁１１によりホース案内部１０の空間に形成されているから、前者の「前記台板の左右の側辺部の下面部に、その周縁部から内側に引込んだ位置に該当する辺方向に延びるリブを下向きに一体に形成することによりその外面側に設けられ、前記排水ホースの途中部を該台板の側辺部に沿って収容可能な収容凹部」とは、
　「台板の下面部にその周縁部から内側に引込んだ位置に該当する辺方向に延びるリブを下向きに一体に形成することによりその外面側に設けられ、排水ホースの途中部を台板の側辺部に沿って収容可能な収容凹部」の点で共通する。
　
　後者の「ホース導出孔１２から排水ホース１８の他端を引き出してその途中を導出孔１２により保持させ、排水ホース１８の非導出部１９をホース案内部１０の側壁１１に沿って横方向に這わせてその途中部分を支持突起１３とホース案内部１０の上面との間で弾性的に支持させた」と、前者の「前記リブのうち前記収容凹部の後端部に対応する位置に設けられ前記排水ホースが下方から嵌込まれることによりその排水ホースを該リブの外面側に導出する」「ホース出口部」とは、
　「収容凹部に設けられ排水ホースを通すことにより、その排水ホースをリブの外面側に導出するホース出口部」の点で、共通する。
　　
　そこで、本願発明の用語を用いて表現すると両者は次の点で一致する。
「洗濯機本体の外箱の底部を構成しコーナー部に脚部が設けられる台板を有し、排水ホースを前記台板を通して前記外箱の外側に導出するものであって、
　前記台板の下面部にその周縁部から内側に引込んだ位置に該当する辺方向に延びるリブを下向きに一体に形成することによりその外面側に設けられ、前記排水ホースの途中部を該台板の側辺部に沿って収容可能な収容凹部と、
　前記収容凹部に設けられ排水ホースを通すことによりその排水ホースをリブの外面側に導出すると共に前記排水ホースを保持するホース出口部とを具備する洗濯機。」
　
　そして、両者は次の点で相違する。
　
＜相違点１＞
　本願発明は収容凹部を台板の左右の側辺部に設けたのに対し、引用発明は収容凹部が台板（基台７）の前面部に形成されている点。
　
＜相違点２＞
　本願発明では、収容凹部の後端部に対応する位置にホース出口部が設けられ、排水ホースが下方からホース出口部に嵌込まれることにより、排水ホースをリブの外面側に導出すると共にその排水ホースをホース出口部に保持するのに対し、
　引用発明においては、収容凹部（ホース案内部１０）の略中間にホース出口部（ホース導出孔１２）が設けられ、排水ホースをホース出口部から引き出すことにより排水ホースをリブ（側壁１１）の外面側に導出すると共にその排水ホースをホース出口部に保持する点。
　
＜相違点３＞
　本願発明では、ホース出口部が排水ホースを比較的高い位置に保持する保持部を兼用しており、そしてホース出口部の下流側に排水ホースをホース出口部よりも低い位置に保持する保持部を設けたのに対し、引用発明では、そのような構成を備えているかどうか明らかでない点。
　
＜相違点４＞
　本願発明では、前記収容部内を前方に延びる排水ホースを前記脚部の内側を通して前記台板の前辺側に導くと共に該排水ホースが下方から嵌込まれることによりその排水ホースを保持する保持部を有するコーナー案内部を具備するのに対し、引用発明ではそうした事項が不明な点。
　
４．判断
　上記相違点について以下検討する。
　
＜相違点１について＞
　上記２−２．ク．ケ．及びコ．に摘記したとおり、引用例２には、外箱の左右の側面、前面の内側壁に排水ホースを巻回して収容している洗濯機が記載され、引用例１には、排水ホースを台板の内側に収容して納めることが記載されているので、排水ホースを外箱の内側に収納するために、台板の左右の側辺部の下面部の周縁部の内側にホース収容凹部を配置して、相違点１に係る本願発明の発明特定事項とすることは引用発明及び引用例２記載の発明から当業者が容易に想到し得たことである。
　
＜相違点２について＞
　上記２−３．シ．及びス．に摘記したとおり、引用例３には、排水ホースを下方から嵌込むことにより排水ホースを保持することが記載されており、また、ホース出口部を収容凹部のどこに設けるかは、洗濯機の外箱（洗濯脱水槽）及び駆動機構部、洗濯脱水槽の排水口などとの位置関係により当業者が適宜なし得る設計的事項にすぎないので、引用発明に引用例３記載の発明を適用して、相違点２に係る本願発明の発明特定事項とすることは、当業者が容易になし得たことである。
　
＜相違点３について＞
　排水ホースの高さの設定については、ホースが排水のための管であることを考えると、排水管内に洗濯排液が滞留しないように、ホース出口部を高く傾斜をつけてそこから低くしていき、低い位置に保持する保持部に導いていくことは当業者であれば当然考え得る設計的事項にすぎない。
　
＜相違点４について＞
　台板の脚部は洗濯機本体を支持するものであって、洗濯機の底部の四隅に設けられているものであることを勘案すれば、排水ホースを洗濯機の下部で引き回すに際し、洗濯機の脚部より外側にはみ出さないように、排水ホースを脚部内側を通すようにすることは、当業者であれば、その使い勝手の点から、容易に思いつく設計的事項にすぎない。
　
　そして、本願発明を全体としてみた効果も、引用発明及び引用例２，３記載の発明から当業者であれば予測できる範囲内のものであって、格別なものとはいえない。
　
５．むすび
　以上のとおり、本願発明は、引用発明及び引用例２，３記載の発明に基づいて、当業者が容易に発明をすることができたものであるから、特許法第２９条第２項の規定により、特許を受けることができない。
　よって、結論のとおり審決する。